(57)【要約】【課題】暗所での利便性を向上するべく発光体を備えつつ、ファッション性を維持した帽子を提供する。【解決手段】プリム部２は、表プリム２３と、裏プリム２１と、表プリム２３及び裏プリム２１の間にあってプリム周縁部に取り付けられ、光透過性を有するプリム周縁体２４とを備え、表プリム２３と裏プリム２１との間にＬＥＤアレイ３を挿入し、当該ＬＥＤアレイ３による光をプリム周縁体２４を通じて外部に導光させる帽子である。【選択図】図２
0003162048.tif 000002
【実用新案登録請求の範囲】
【請求項１】
クラウン部と、
前記クラウン部の底部周縁に取り付けられるプリム部と、
を含み、
前記プリム部は、表プリムと、裏プリムと、前記表プリム及び裏プリムの間にあって、プリム周縁部に取り付けられ、光透過性を有するプリム周縁体とを備え、
前記表プリムと裏プリムとの間にＬＥＤアレイを挿入し、当該ＬＥＤアレイによる光を前記プリム周縁体を通じて外部に導光させるよう配したことを特徴とする帽子。
【請求項２】
前記ＬＥＤアレイは、裏プリムの前縁方向中央より左右いずれかの側部に寄った位置に取り付けたスイッチを介して、クラウン部底部周縁裏側に配した電池に接続されてなる請求項１記載の帽子。
【考案の詳細な説明】
【技術分野】
【０００１】
本考案は、山高帽、テンガロン、ハンチング、又はキャップなどプリム（鍔）を有する帽子に係り、特にＬＥＤアレイの取付に関する。
【背景技術】
【０００２】
帽子は、屋外で活動する際に直射日光を遮る等の実用的用途を有し、また、ファッションのアイテムとしても重要で、広く用いられている。一方、屋外での活動はときに木立に囲まれた場所や、夜間など暗い場所での活動を伴う。そこでこうした暗い場所での活動の利便を考慮して、頭部にベルトで装着するライトなどが販売されている。
【０００３】
また、帽子に発光体を埋め込むことも近年考えられており、例えば特許文献１には、ツバの前方先端にＬＥＤを取り付け、電源として帽子の表生地と見返しとの間に開閉自在の袋を設けてその中にボタン電池を嵌挿するためのソケットを埋設し、ツバの裏側に埋め込んだスイッチを入れるとＬＥＤが点灯するようにしたというツバ有り帽子が開示されている。
【先行技術文献】
【特許文献】
【０００４】
【特許文献１】特開２００９−２９３１４６号公報
【考案の概要】
【考案が解決しようとする課題】
【０００５】
しかしながら、上記従来のプリム付き帽子においては、電池やスイッチなどは隠されているものの、ＬＥＤなどの発光体は、輝度確保のために外部に露出しており、暗い場所での利便性はあるが、明るい場所では露出したＬＥＤのために、ファッション性が犠牲になっている。
【０００６】
本考案は上記実情に鑑みて為されたもので、暗所での利便性を向上するべく発光体を備えつつ、ファッション性を維持した帽子を提供することをその目的の一つとする。
【課題を解決するための手段】
【０００７】
上記従来例の問題点を解決するための本考案は、帽子であって、クラウン部と、前記クラウン部の底部周縁に取り付けられるプリム部と、を含み、前記プリム部は、表プリムと、裏プリムと、前記表プリム及び裏プリムの間にあって、プリム周縁部に取り付けられ、光透過性を有するプリム周縁体とを備え、前記表プリムと裏プリムとの間にＬＥＤアレイを挿入し、当該ＬＥＤアレイによる光を前記プリム周縁体を通じて外部に導光させるよう配したものである。
また、本考案のある態様では、前記ＬＥＤアレイは、裏プリムの前縁方向中央より左右いずれかの側部に寄った位置に取り付けたスイッチを介して、クラウン部底部周縁裏側に配した電池に接続されてなる。
【考案の効果】
【０００８】
本考案によると、プリム部の内部にＬＥＤアレイを収納して外部に露出しないようにするとともに、光透過性を有するプリム周縁体により、その光を外部に導光することとし、これにより明所においてもＬＥＤアレイが目立つことなくファッション性を維持できる。
【図面の簡単な説明】
【０００９】
【図１】本考案の実施の形態に係る帽子の概要を表す斜視図及び正面図である。
【図２】本考案の実施の形態に係る帽子のプリム部を表す分解図である。
【図３】本考案の実施の形態に係る帽子のプリム部の例を表す断面図である。
【図４】本考案の実施の形態に係る帽子に内蔵される回路例を表す回路図である。
【図５】本考案の実施の形態に係る帽子に内蔵される回路の配線例を表す説明図である。
【考案を実施するための形態】
【００１０】
本考案の実施の形態について図面を参照しながら説明する。本考案に係る帽子は、図１（ａ）にその斜視図、図１（ｂ）にその正面図を例示するように、クラウン部１と、プリム部２とを含んで構成される。なお、図１では野球帽様のキャップを示しているが、本実施の形態に係る帽子はプリム（鍔）を有するものであれば、山高帽、テンガロン、またはハンチング等異なる形態であってもよい。
【００１１】
プリム部２は、クラウン部１の底部周縁に取り付けられ、図２にその分解図を例示するように、裏プリム２１と、芯体２２ａ，ｂと、表プリム２３と、これら裏プリム２１と表プリム２３との間にあって、光透過性を有するプリム周縁部に取り付けられるプリム周縁体２４と、を含んで構成される。本実施の形態のある例では、このプリム周縁体２４は、図２に例示したように、天然または人工繊維によるメッシュ生地である。
【００１２】
本実施の形態では、裏プリム２１、芯体２２ａ，ｂ、表プリム２３はこの順に積層され、図１に示した帽子のプリム部２を図１に示した２つの破断線（IIIA, IIIB）でそれぞれ切れば、それぞれ図３（ａ），（ｂ）に例示するような状態となっている。ここではプリム周縁体２４は表プリム２３の芯体側と裏プリム２１の芯体側とに、当該プリム周縁体２４の両端部が縫い糸Ｔにより固定されている。
【００１３】
本実施の形態の芯体２２ａは、プリム部２の形状を定めるものであり、一例としてはプリム部２のクラウン部１の付け根からプリム部２の中頃までは肉厚となり、プリム部２の先端にむけて肉薄となるように形成されてもよい。また、この芯体２２ａは、図２に例示したように、プリム前縁部の一部に切り欠きが形成されている。そしてこの切り欠き部にＬＥＤアレイ３が挿入され、当該ＬＥＤアレイ３が放射する光がプリム周縁体２４を通じて外部に導光されるように配されている。本実施の形態では、この芯体２２ａに、切欠きを有しない芯体２２ｂを重ね合わせている。これによりＬＥＤアレイ３をプリム上部からの衝撃から保護するとともに、プリム２の上部にＬＥＤアレイ３による凹凸が生じることを防止する。
【００１４】
ＬＥＤアレイ３には、図４に例示するような回路で、スイッチ４及び電源５が接続されている。ここでスイッチ４は押下ごとにオンとオフとが切り替わる押しボタン等であり、スイッチ４が押下されるごとに、ＬＥＤアレイ３内のＬＥＤが点灯と消灯とを繰り返して行う。スイッチ４は、芯体２２ａ，ｂと裏プリム２１との間に配され、また裏プリム２１の前縁方向中央より左右いずれかの側部に寄った位置に取り付けられる。
【００１５】
電源５のソケット５２とスイッチ４との間の配線は次のようにして行われる。すなわち図５に示した想像図により配線例を示すように、クラウン部１の底部周縁裏側、及びプリム部２内、表プリム２３と裏プリム２１との間を通る導線によって行われ、スイッチ４からＬＥＤアレイ３までの配線もまた、プリム部２内、表プリム２３と裏プリム２１との間を通る導線によって行われる。これにより、配線が外部に露出することがない。
【００１６】
電源５はボタン電池５１を用いればよく、このボタン電池５１は、図５に例示したように２つのボタン電池を平面上に配し、直列に接続させる広く知られたソケット５２に収納され、クラウン部１の底部周縁裏側に配しておく。このとき、クラウン部１の底部周縁折り返し内部に隠れるようにしておいてもよい。
【００１７】
本考案の実施の形態に係る帽子によると、ＬＥＤアレイ３に含まれるＬＥＤが点灯していないときには、ＬＥＤアレイ３はプリム周縁体２４のために視認され難い状態にあり、外見上、ＬＥＤを内蔵しない帽子と何ら変わらないものとなる。しかし、利用者が一旦スイッチ４を押下してＬＥＤアレイ３内のＬＥＤを点灯すると、プリム周縁体２４を通じて帽子のプリム部２から光が投光され、周囲が照明される。
【符号の説明】
【００１８】
１  クラウン部、２  プリム部、３  ＬＥＤアレイ、４  スイッチ、５  電源、２１  裏プリム、２２  芯体、２３  表プリム、２４  プリム周縁体、５１  ボタン電池、５２  ソケット。
【図１】
0003162048.tif 000003
【図２】
0003162048.tif 000004
【図３】
0003162048.tif 000005
【図４】
0003162048.tif 000006
【図５】
0003162048.tif 000007